(57)【要約】【課題】ＮＦＣ機能付携帯端末のユーザ本人にとって利便性の高い特定用途ＮＦＣタグを提案する特定用途ＮＦＣタグ提案受注装置の提供。【解決手段】特定用途ＮＦＣタグ提案受注装置７がＮＦＣ機能を備える携帯端末２やサービス提供装置６から、携帯端末２を利用するユーザ３のユーザ関連情報を取得して、そのユーザ関連情報が、予め定めた所定の提案条件を満たした場合には、携帯端末２に対して、ユーザの利便性を向上させる特定用途に利用可能な特定用途ＮＦＣタグ１０を提案する。提案に対して前記携帯端末から注文を特定用途ＮＦＣタグ提案受注装置が受付けた場合には、特定用途ＮＦＣタグ提案受注装置が注文内容を確定して特定用途ＮＦＣタグ製作管理装置８へ製作指示を行う。【選択図】図１
2017068587.tif 000002
【特許請求の範囲】
【請求項１】
ＮＦＣ機能を備える携帯端末のユーザに係る第一のユーザ属性情報を前記携帯端末からネットワークを介して取得する第一の取得手段と、前記ユーザに係る第二のユーザ属性情報を前記ユーザが利用する少なくとも一つのサービス提供装置からネットワーク介して取得する第二の取得手段のうち、少なくとも第一の取得手段または第二の取得手段のいずれか一つを含むユーザ関連情報を取得するユーザ関連情報取得手段を備え、
取得された前記ユーザ関連情報が予め定めた所定の提案条件を満たした場合に、前記携帯端末に対して、ネットワークを介して前記ユーザの利便性を向上させる特定用途に利用可能なＮＦＣタグをユーザに対して提案して注文を促すＮＦＣタグ提案手段と、
前記ＮＦＣタグの提案に応じたユーザからのＮＦＣタグ注文を前記携帯端末からネットワークを介して取得して受付けるＮＦＣタグ注文受付手段と、
前記ＮＦＣタグ注文受付手段にて受付けた注文内容に応じて特定用途ＮＦＣタグ製作管理装置へ製作指示を行うＮＦＣタグ製作指示手段を備えることを特徴とする特定用途ＮＦＣタグ提案受注装置。
【請求項２】
前記第一のユーザ属性情報には少なくとも前記携帯端末の端末識別情報、ユーザ名などのユーザ情報、電話番号若しくはメールアドレスなどの連絡先情報、端末位置情報、通話履歴情報、電子メール履歴情報、Ｗｅｂサイト閲覧履歴情報、インタネットブラウザのブックマーク情報、アプリケーションプログラム利用履歴情報、前記ユーザが入力した入力文字列情報、またはマナーモードのオンオフなどの端末操作情報のうち、いずれか一つ以上を含むことを特徴とする請求項１に記載の特定用途ＮＦＣタグ提案受注装置。
【請求項３】
前記第二のユーザ属性情報には少なくとも前記サービス提供装置に記録されている前記端末識別情報、前記ユーザ名などのユーザ情報、前記ユーザ連絡先情報、前記端末位置情報、前記入力文字列情報、または前記サービス提供装置の利用履歴のうち、いずれか一つ以上を含むことを特徴とする請求項１また２のいずれか一項に記載の特定用途ＮＦＣタグ提案受注装置。
【請求項４】
前記ユーザ関連情報に応じて予め定めた所定の前記提案条件には、前記携帯端末で特定の宛先への電話発信回数若しくはメール送信回数、特定のＷｅｂサイトへの閲覧回数若しくは閲覧時間、特定のアプリケーションプログラムの起動回数若しくは起動時間、特定のサービス提供装置への利用回数若しくは利用時間のうち、いずれか一つ以上を含むことを特徴とする請求項１から３のいずれか一項に記載の特定用途ＮＦＣタグ提案受注装置。
【請求項５】
前記注文受付手段にて注文受付後、前記注文内容を確定する前に、前記ＮＦＣタグの形状、大きさ、色彩、及び模様を含む外形デザインの指定を可能とするＮＦＣタグデザイン指定手段を含むことを特徴とする請求項１から４のいずれか一項に記載の特定用途ＮＦＣタグ提案受注装置。
【請求項６】
ＮＦＣ機能を備える携帯端末のユーザに係る第一のユーザ属性情報を前記携帯端末からネットワークを介して取得する第一の取得手段と、前記ユーザに係る第二のユーザ属性情報を前記ユーザが利用する少なくとも一つのサービス提供装置からネットワーク介して取得する第二の取得手段のうち、少なくとも第一の取得手段または第二の取得手段のいずれか一つを含むユーザ関連情報を取得するユーザ関連情報取得手段を備え、
取得された前記ユーザ関連情報が予め定めた所定の提案条件を満たした場合に、前記携帯端末に対して、ネットワークを介して前記ユーザの利便性を向上させる特定用途に利用可能なＮＦＣタグをユーザに対して提案して注文を促すＮＦＣタグ提案手段と、
前記ＮＦＣタグの提案に応じたユーザからのＮＦＣタグ注文を前記携帯端末からネットワークを介して取得して受付けるＮＦＣタグ注文受付手段と、
前記ＮＦＣタグ注文受付手段にて受付けた注文内容に応じて特定用途ＮＦＣタグ製作管理装置へ製作指示を行うＮＦＣタグ製作指示手段として機能させることを特徴とする請求項１から５のいずれか一項に記載の特定用途ＮＦＣタグ提案装置を制御するためのプログラム。
【発明の詳細な説明】
【技術分野】
【０００１】
本発明は、特定用途ＮＦＣタグ提案受注装置およびプログラムに関する。
【背景技術】
【０００２】
非接触で近接無線通信を提供するＮＦＣ（Near Field Communication）を利用したＮＦＣタグとの通信が可能なＮＦＣ機能を備える携帯端末が普及してきている。この携帯端末をＮＦＣタグにかざすと、予め携帯端末にインストールされたＮＦＣ読取実行アプリケーションプログラムが機能し、ＮＦＣタグに格納されたデータを読み込むことができる。そして読み込んだデータに基づき、ＮＦＣ読取実行アプリケーションプログラムは携帯端末に定められた動作、例えば、携帯端末の設定作業を携帯端末に行わせたりするなどの特定用途のための動作を携帯端末に実行させることができる。（特許文献１参照）
ＮＦＣタグから読み込んだデータに基づいてアプリケーションが携帯端末に実行させることができる動作としては、予め定めた所定の電話番号に自動的に発信する、ＷｉＦｉ（登録商標、以下同じ。）をON、OFFにする、所定のメールアドレスにメールする、ＳＮＳサイトにアクセスして所定のコメントを自動投稿するなど多種多様であり、多くの特定用途に応じたＮＦＣタグが存在する。
【先行技術文献】
【特許文献】
【０００３】
【特許文献１】特開２０１５−１１５８７８号公報
【発明の概要】
【発明が解決しようとする課題】
【０００４】
ＮＦＣタグを、ＮＦＣ機能を備える携帯端末にかざすことにより、特定用途のため、予め定めた多種多様な動作を携帯端末に実行させる機能は、ユーザに高い利便性を提供する。しかし、このＮＦＣタグを何の特定用途に利用するのか、その用途のためにどうようなデータを非接触ＩＣに書き込み格納するかはユーザに委ねられていた。そのため、一般ユーザには、そのユーザの利便性の向上を図れる特定用途ＮＦＣタグが何であるのか、みつけて取得するのは容易でなかった。
【０００５】
そこで、本発明ではＮＦＣ機能を備える携帯端末のユーザの多種多様な関連情報を取得して、この情報に応じて、そのユーザにマッチした利便性向上を図れる特定用途のＮＦＣタグをユーザに提案して、ユーザからの注文を受付ける特定用途ＮＦＣタグ提案受注装置を提供することを目的とする。
【課題を解決するための手段】
【０００６】
請求項１に記載の発明では、ＮＦＣ機能を備える携帯端末のユーザに係る第一のユーザ属性情報を前記携帯端末からネットワークを介して取得する第一の取得手段と、前記ユーザに係る第二のユーザ属性情報を前記ユーザが利用する少なくとも一つのサービス提供装置からネットワーク介して取得する第二の取得手段のうち、少なくとも第一の取得手段または第二の取得手段のいずれか一つを含むユーザ関連情報を取得するユーザ関連情報取得手段を備え、取得された前記ユーザ関連情報が予め定めた所定の提案条件を満たした場合に、前記携帯端末に対して、ネットワークを介して前記ユーザの利便性を向上させる特定用途に利用可能なＮＦＣタグをユーザに対して提案して注文を促すＮＦＣタグ提案手段と、
前記ＮＦＣタグの提案に応じたユーザからのＮＦＣタグ注文を前記携帯端末からネットワークを介して取得して受付けるＮＦＣタグ注文受付手段と、前記ＮＦＣタグ注文受付手段にて受付けた注文内容に応じて特定用途ＮＦＣタグ製作管理装置へ製作指示を行うＮＦＣタグ製作指示手段を備えることを特徴とする特定用途ＮＦＣタグ提案受注装置を提供する。
請求項２に記載の発明では、前記第一のユーザ属性情報には少なくとも前記携帯端末の端末識別情報、ユーザ名などのユーザ情報、電話番号若しくはメールアドレスなどの連絡先情報、端末位置情報、通話履歴情報、電子メール履歴情報、Ｗｅｂサイト閲覧履歴情報、インタネットブラウザのブックマーク情報、アプリケーションプログラム利用履歴情報、前記ユーザが入力した入力文字列情報、またはマナーモードのオンオフなどの端末操作情報のうち、いずれか一つ以上を含むことを特徴とする請求項１に記載の特定用途ＮＦＣタグ提案受注装置を提供する。
請求項３に記載の発明では、前記第二のユーザ属性情報には少なくとも前記サービス提供装置に記録されている前記端末識別情報、前記ユーザ名などのユーザ情報、前記ユーザ連絡先情報、前記端末位置情報、前記入力文字列情報、または前記サービス提供装置の利用履歴のうち、いずれか一つ以上を含むことを特徴とする請求項１また２のいずれか一項に記載の特定用途ＮＦＣタグ提案受注装置を提供する。
請求項４に記載の発明では、前記ユーザ関連情報に応じて予め定めた所定の前記提案条件には、前記携帯端末で特定の宛先への電話発信回数若しくはメール送信回数、特定のＷｅｂサイトへの閲覧回数若しくは閲覧時間、特定のアプリケーションプログラムの起動回数若しくは起動時間、特定のサービス提供装置への利用回数若しくは利用時間のうち、いずれか一つ以上を含むことを特徴とする請求項１から３のいずれか一項に記載の特定用途ＮＦＣタグ提案受注装置を提供する。
請求項５に記載の発明では、前記注文受付手段にて注文受付後、前記注文内容を確定する前に、前記ＮＦＣタグの形状、大きさ、色彩、及び模様を含む外形デザインの指定を可能とするＮＦＣタグデザイン指定手段を含むことを特徴とする請求項１から４のいずれか一項に記載の特定用途ＮＦＣタグ提案受注装置を提供する。
請求項６に記載の発明では、ＮＦＣ機能を備える携帯端末のユーザに係る第一のユーザ属性情報を前記携帯端末からネットワークを介して取得する第一の取得手段と、前記ユーザに係る第二のユーザ属性情報を前記ユーザが利用する少なくとも一つのサービス提供装置からネットワーク介して取得する第二の取得手段のうち、少なくとも第一の取得手段または第二の取得手段のいずれか一つを含むユーザ関連情報を取得するユーザ関連情報取得手段を備え、  取得された前記ユーザ関連情報が予め定めた所定の提案条件を満たした場合に、前記携帯端末に対して、ネットワークを介して前記ユーザの利便性を向上させる特定用途に利用可能なＮＦＣタグをユーザに対して提案して注文を促すＮＦＣタグ提案手段と、前記ＮＦＣタグの提案に応じたユーザからのＮＦＣタグ注文を前記携帯端末からネットワークを介して取得して受付けるＮＦＣタグ注文受付手段と、前記ＮＦＣタグ注文受付手段にて受付けた注文内容に応じて特定用途ＮＦＣタグ製作管理装置へ製作指示を行うＮＦＣタグ製作指示手段として機能させることを特徴とする請求項１から５のいずれか一項に記載の特定用途ＮＦＣタグ提案装置を制御するためのプログラムを提供する。
【０００７】
なお、上記の発明の概要は、本発明の必要な特徴の全てを列挙したものではない。これらの特徴群のサブコンビネーションもまた、発明となりうる。
【発明の効果】
【０００８】
ＮＦＣ機能付携帯端末のユーザ本人にとって利便性の高い特定用途ＮＦＣタグを、そのユーザに係る関連情報に基づいて選択し提案することができる。
【図面の簡単な説明】
【０００９】
【図１】特定用途ＮＦＣタグ提案受注システム１の通信環境の一例を概略的に示す。
【図２】ＮＦＣ機能付携帯端末２の機能構成の一例を概略的に示す。
【図３】特定用途ＮＦＣタグ提案受注装置７の機能構成の一例を概略的に示す。
【図４】ユーザ登録の処理の流れの一例を概略的に示す。
【図５】特定用途ＮＦＣタグ提案の処理の流れの一例を概略的に示す。
【図６】特定用途ＮＦＣタグ注文受付〜製作〜発送の処理の流れの一例を概略的に示す。
【図７】ユーザ関連情報の取得元および取得情報テーブルの一例を概略的に示す。
【図８】ユーザ関連情報に応じた特定用途ＮＦＣタグ提案条件テーブルの一例を概略的に示す。
【図９】ユーザ登録画面の一例を概略的に示す。
【図１０】特定用途ＮＦＣタグ提案画面の一例を概略的に示す。
【図１１】特定用途ＮＦＣタグ注文受付画面の一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、特定用途ＮＦＣタグ提案受注システム１の通信環境の一例を概略的に示す。特定用途ＮＦＣタグ提案受注システム１は、ネットワーク４を通じて接続する特定用途ＮＦＣタグ提案受注装置７、サービス提供装置６、特定用途ＮＦＣタグ製作管理装置８から構成されている。
【００１２】
特定用途ＮＦＣタグ提案受注システム１は、当該システム１に無線基地局５を介して無線にてネットワーク４に接続するＮＦＣ機能付携帯端末２を通じて、その携帯端末２のユーザ３の利便性を高める特定の用途、例えば、予め登録された電話番号に自動的に電話を発信する用途などに利用可能な特定用途ＮＦＣタグ１０を提案するものである。
【００１３】
さらに、特定用途ＮＦＣタグ提案受注システム１は、その提案を受けたユーザ３からの当該携帯端末２から取得した特定用途ＮＦＣタグ１０の注文を特定用途ＮＦＣタグ提案受注装置７で受付けて注文内容を確定し受注処理を行う。
【００１４】
そして、特定用途ＮＦＣタグ提案受注装置７が特定用途ＮＦＣタグ製作管理装置８に注文内容に応じた特定用途ＮＦＣタグ１０の製作指示を行う。製作指示をうけた特定用途ＮＦＣタグ製作管理装置８は注文内容に応じた特定用途ＮＦＣタグ１０の製作をおこない、ユーザ３へ注文を受けた特定用途ＮＦＣタグ１０を配送手段９で配送する。
【００１５】
特定用途ＮＦＣタグ提案受注システム１のうち特定用途ＮＦＣタグ提案受注装置７には、特定用途NFCタグ製作装置８の機能を含んでいてもよい。また、特定用途ＮＦＣタグ提案受注装置７は特定用途ＮＦＣタグ提案機能と特定用途ＮＦＣ受注機能で装置が二つに分かれていてもよい。
【００１６】
次に各装置の機能について説明する。まずNFC機能付携帯端末２とは、ユーザ３が利用する携帯端末である。携帯端末とは携帯電話、スマートフォン、タブレット型端末を含む携帯型の端末であり、ネットワークに接続可能な無線機能を有している。ここで無線とは３GやLTEなどのモバイルネットワークだけでなく、Wi-Fiなどの無線LANも含む。従って、NFC機能付携帯端末２が無線で接続する無線基地局５は３GやLTEなどの携帯基地局だけでなく、Wi-Fiなどの無線LANが接続するアクセスポイントも含む。また無線基地局５までの無線区間は複数の端末をつないだアドホックネットワークであってもよい。
【００１７】
このNFC機能付携帯端末２はNFC機能を有しており、NFCタグに携帯端末をかざすことにより、つまり非接触にてNFCタグとNFCによる通信が可能である。少なくともNFC機能付携帯端末２はNFCタグに格納されたデータの読取り機能を有している。読取機能だけでなく、書込み機能を有していてもよい。読取り機能は携帯端末に格納されたNFC読取プログラム（NFCリーダアプリ）により実行され、このプログラムにより、読み込んだデータにもとづいて、NFC機能付携帯端末２のWi-FiのON/OFF設定変更や電話発信などを行うことができる。また、ユーザ３の各種利用状況の履歴などを第一のユーザ属性情報として記録ができ、これをNFC読取プログラムの指示により、特定用途NFCタグ提案受注装置７に送信することにできる。NFC機能付携帯端末２の機能は後述する図２で詳細説明する。
【００１８】
特定用途NFCタグ提案受注装置７は、特定用途NFC提案受注システム１において中心的な機能を担う装置である。具体的には、特定用途ＮＦＣタグ提案受注装置７は、NFC機能付携帯端末２から収集した第一ユーザ属性情報を、またサービス提供装置６より収集したユーザ３の第二のユーザ属性情報を、また特定用途NFCタグ提案受注装置７に登録されたユーザ３の登録情報を、ユーザ関連情報として格納する。格納する際、第一のユーザ属性情報、第二のユーザ属性情報およびNFCタグ提案受注装置７に登録されたユーザ３の登録情報は、端末識別子などの共通する情報に基づいてユーザ３ごとに紐づけて記録される。特定用途NFCタグ提案受注装置７は、取得したユーザ関連情報の内容や件数等に応じて、ユーザ関連情報の取得元および取得情報テーブルから、そのユーザに提案すべき特定用途NFCタグ１０を検索するユーザ関連情報に応じた特定用途ＮＦＣタグ提案条件テーブル（図８で後述）を備えている。
【００１９】
特定用途NFCタグ提案受注装置７は、取得したユーザ関連情報の内容や件数等を更新していき、図８の特定用途ＮＦＣタグ提案条件テーブルと逐次照合して合致するようであれば、提案するタグの情報をNFCタグ提案画面として携帯端末２に対して送信する。提案画面は特定用途NFCタグ提案受注装置７からNFC機能付携帯端末２へのプッシュ通知により行ってもよい。プッシュ通知はNFCリーダアプリの機能に基づきNFC機能付携帯端末２に通知される。プッシュ通知により、ユーザ３はNFC機能付携帯端末２にてNFCリーダアプリを動作させることによりNFCタグ提案画面を開くことができる。なおNFCリーダアプリの機能に基づくプッシュ通知以外にも、インターネットメール、SMS、MMSなど他の通知手段であってもよい。
【００２０】
ユーザ３はNFC機能付携帯端末２に表示されたNFCタグ提案画面より、ユーザ３に提案された特定用途NFCタグ１０を知ることができる。そして、ユーザ３が提案された特定用途NFCタグ１０のデザインの注文をするときは、ユーザ３の特定用途NFCタグ提案画面の案内に従ってNFC機能付携帯端末２を操作することにより、注文受付要求が、特定用途NFCタグ提案受注装置７へ送信される。特定用途NFCタグ提案受注装置７が注文受付要求を受信した後は、特定用途NFCタグ提案受注装置７とNFC機能付携帯端末との間の通信を通じて、ユーザ３はNFC機能付携帯端末２を操作することにより特定用途NFCタグ１０の詳細注文内容を確定し、正式な発注を行うことができる。なお、特定用途NFCタグ１０の詳細注文内容を決めるにあたって特定用途NFCタグ１０の製作納期の情報は、特定用途NFCタグ提案受注装置７が特定用途NFCタグ製作管理装置８に問合せを行って取得する。
【００２１】
特定用途NFCタグ１０の発注処理が、NFC機能付携帯端末２と特定用途NFCタグ提案受注装置７の間で完了したら、特定用途NFCタグ提案受注装置７は、特定用途NFC製作管理装置８に対して、詳細注文内容などの特定用途NFCタグ発注に関する情報を特定用途NFCタグ製作管理装置８に送信して、特定用途NFCタグ製作管理装置８に対する特定用途NFCタグ製作指示および配送指示を行う。指示を受けた特定用途NFCタグ製作管理装置８は、特定用途NFCタグ製作・配送処理の管理を行う。製作された特定用途NFCタグ１０のユーザ３により指定された配送先への配送完了後、特定用途NFCタグ製作管理装置８は、特定用途NFC製作・発送完了通知を、特定用途NFCタグ提案受注装置７に送信する。これを受信した特定用途NFCタグ提案受注装置７は、更にこの通知をNFC機能付携帯端末２に送信して、ユーザ３に特定用途NFC製作・発送完了した旨を通知させる。
【００２２】
図２は、ＮＦＣ機能付携帯端末２の機能構成の一例を概略的に示す。ＮＦＣ機能付携帯端末２は、携帯・無線LAN通信部２０２、NFC通信部２０４、測位部２０６、各種センサー部２０８、カメラ部２１０、表示部２１２、ユーザ操作部２１４、プログラム格納部２１６、記録部２１８、計時部２２０、および制御部２２２を備える。
【００２３】
携帯・無線LAN通信部２０２は、無線基地局５と、３GやLTEなどの携帯無線通信およびWi-Fiなどの無線LANにて無線による通信を行う。更に無線基地局５はネットワーク４と接続されており、特定用途NFCタグ提案受注装置７などのネットワーク４と接続する装置との間でデータ通信を行うことができる。
【００２４】
NFC通信部２０４は、NFCタグとのNFCによる近接無線通信を行う。RFIDであるNFCタグに無線にて電力を供給するとともに、NFCタグからデータを読み込んだり、書き込んだりすることが可能となる。
【００２５】
測位部２０６はＮＦＣ機能付携帯端末２の位置を測位する装置である。例えばGPS測位装置などである。測位したデータは計時部２２０で計測した時刻などの情報とともに記録部２１８に記録される。この測位情報は第一のユーザ属性情報の一部として構成される。
【００２６】
各種センサー部２０８は、ＮＦＣ機能付携帯端末２の姿勢や動きを感知できる加速度センサー（ジャイロセンサー）などである。この各種センサー部で取得された情報は計時部２２０で計測した時刻などの情報とともに記録部２１８に記録される。この測位情報は第一のユーザ属性情報の一部として構成される。
【００２７】
カメラ部２１０は、画像または映像などの撮影をする。撮影された画像又は映像はデジタルデータとして出力され、これらデジタル画像又は映像データの情報は計時部２２０で計測した時刻などの情報とともに記録部２１８に記録される。この測位情報は第一のユーザ属性情報の一部として構成される。
【００２８】
表示部２１２は、テキスト、画像、および映像などを表示する。たとえば液晶ディスプレイなどで構成されている。特定用途NFC提案受注装置７から送られてきた特定用途NFCタグの提案画面表示や詳細注文内容入力画面などは表示部２１２に表示されて、ユーザ３による閲覧を可能とする。
【００２９】
ユーザ操作部２１４は、ユーザ３による入力操作を可能とする。ユーザ操作部としては例えば表示部と一体となったタッチパネルや、表示部とは別の１０キーやキーボード形式の物理的なプッシュキーであってもよい。
【００３０】
プログラム格納部２１６は、NFC機能付携帯端末２の機能を動作させるオペレーティングソフトウエア（OS）や各種アプリケーションソフトウエア（アプリ）が格納されている。NFC機能を動作させるNFCリーダアプリもここに格納されており、制御部２２２により制御されて動作する。プログラム格納部２１６はフラッシュメモリなどの読み書き可能なメモリ、読出し専用のメモリであるＲＯＭなどのメモリで構成されている。
【００３１】
記録部２１８は、プログラム格納部２１６で格納されているプログラム以外で、NFC機能付携帯端末２内で取り扱わられる全てのデータを記録する。記録には電源オンオフによらず、記憶が可能で、読み書き可能なフラッシュメモリや、電源オンの時だけ記録が可能で一時的な記録手段として用いられるランダムアクセスメモリ（ＲＡＭ）などから構成されている。第一のユーザ属性情報はプログラム格納部２１６に記録され、制御部２２２からの要求に応じて携帯・無線ＬＡＮ通信部２０２を通じて、特定用途ＮＦＣタグ提案受注装置７に送信される。
【００３２】
計時部２２０は、時刻を計測するデジタルクロックである。クロックの精度は測位部２０６のＧＰＳ受信信号や、ネットワーク４経由で外部サーバ（たとえばＮＴＰサーバ）から受信したクロック信号に基づいて時刻同期させてもよい。計測した時刻は、ＮＦＣ機能付携帯端末２内の各機能の動作時刻の履歴や各機能の動作タイミング管理などに利用される。
【００３３】
制御部２２２は、中央演算装置（ＣＰＵ）から構成されており、プログラム格納部２１６に格納されたプログラムに基づきＮＦＣ機能付携帯端末２の機能を制御して動作させる。
携帯・無線LAN通信部２０２、NFC通信部２０４、測位部２０６、各種センサー部２０８、カメラ部２１０、表示部２１２、ユーザ操作部２１４、プログラム格納部２１６、記録部２１８、計時部２２０は御部２２２により制御されて動作する。
【００３４】
図３は、特定用途ＮＦＣタグ提案受注装置７の機能構成の一例を概略的に示す。特定用途ＮＦＣタグ提案受注装置７は、送受信部３０２、ユーザ情報取得部３０４、特定用途NFCタグ提案・注文受付部３０６、プログラム格納部３０８、特定用途NFCタグデータベース３１０、提案条件判定部３１２、提案条件格納部３１４、ユーザ登録部３１６、ユーザ関連情報格納部３１８、計時部３２０、および制御部３２２を備える。
【００３５】
送受信部３０２は、ネットワーク４と接続しており、ＮＦＣ機能付携帯端末２、サービス提供装置６、および特定用途ＮＦＣタグ製作管理装置８とデータの送受信を行う。接続するネットワーク４は、例えばインターネットや閉域のＩＰネットワークなどである。
【００３６】
ユーザ情報取得部３０４は、第一のユーザ属性情報要求を生成し、送受信部３０２を通じて、ネットワーク４に接続されるＮＦＣ機能付携帯端末２に送信する。ＮＦＣ機能付携帯端末２から、第一のユーザ属性情報を受信する。
ユーザ情報取得部３０４は、第二のユーザ属性情報要求を生成し、送受信部３０２を通じて、ネットワーク４に接続されるサービス提供装置８に送信する。サービス提供装置６から、第二のユーザ属性情報を受信する。よって、ユーザ情報取得部３０４は、第一の取得手段、第二の取得手段、ユーザ関連情報取得手段を構成する。
【００３７】
第一のユーザ属性情報要求および第二のユーザ属性情報要求の生成および送信は、ユーザ登録部３１６で登録され、ユーザ関連情報格納部３１８に記憶されたユーザ３の登録情報に基づいて行う。登録情報には少なくとも第一のユーザ属性情報要求の送信先および第二のユーザ属性情報要求の送信先の情報が含まれている。
【００３８】
取得した第一のユーザ属性情報、および第二のユーザ属性情報は、ユーザ関連情報格納部３１８に記録されている該当のユーザ３の登録情報に紐づけられて、ユーザ関連情報格納部３１８に各ユーザ３単位で記録され、ユーザ関連情報として格納されていく。
【００３９】
特定用途NFCタグ提案・注文受付部３０６は、ユーザ関連情報格納部３１８に格納されているユーザ関連情報が提案条件判定部３１２にて提案条件を満たしたと判定された場合に、該当するユーザ３のＮＦＣ機能付携帯端末２に対して特定用途ＮＦＣタグ提案のための表示画面を生成する。生成された特定用途ＮＦＣタグ提案生成画面は送受信部３０２を通じて、ネットワーク４に接続されるＮＦＣ機能付携帯端末２に送信する。
【００４０】
ユーザ３のＮＦＣ機能付携帯端末２に対して送信した特定用途ＮＦＣタグ提案に応じて、ユーザ３によりなされたＮＦＣ機能付携帯端末２から特定用途ＮＦＣタグ提案受注装置７への特定用途ＮＦＣタグ注文受付要求を、送受信部３０２が受信して、特定用途NFCタグ提案・注文受付部３０６はこの注文受付要求を受付ける。
【００４１】
注文を受付けた後は、特定用途ＮＦＣデータベース３１０に格納されている注文時に選択可能な特定用途ＮＦＣの形状（例えば、シールタイプまたはキーホルダタイプなのか）、色彩、模様、特定用途ＮＦＣ製作に必要な情報（例えば、特定の電話番号に発信できるＮＦＣであれば、その電話番号）、配送先、支払方法などの問合せ画面を生成して、問合せの都度、ＮＦＣ機能付携帯端末２に送信する。これに応じてユーザ３によりＮＦＣ機能付携帯端末２の問合せ画面に入力された情報は特定用途ＮＦＣタグ提案受注装置７の送受信部３０２で受信され、特定用途NFCタグ提案・注文受付部３０６にて詳細注文内容の確定処理が実行される。
【００４２】
詳細注文内容が確定後は、特定用途NFCタグ提案・注文受付部３０６から、送受信３０２を通じて、特定用途ＮＦＣタグ製作管理装置８へ、詳細注文内容が確定し正式に受注した特定内容ＮＦＣの製作・配送指示を行う。
【００４３】
ＮＦＣ機能付携帯端末２と特定用途ＮＦＣタグ提案受注装置７との間で、詳細注文内容を確定する過程において、詳細注文内容に係る特定用途ＮＦＣの製作納期について、定用途NFCタグ提案・注文受付部３０６は送受信部３０２を通じて、特定用途ＮＦＣタグ製作管理装置８へ納期確認を行って納期通知を取得してもよい。特定用途NFCタグ提案・注文受付部３０６は送受信部３０２を通じて、取得した納期をＮＦＣ機能付携帯端末２に通知してもよい。
【００４４】
特定内容ＮＦＣの製作・配送指示を受けた特定用途ＮＦＣタグ製作管理装置８が、特定用途ＮＦＣタグ製作・配送完了したら、特定用途NFCタグ提案・注文受付部３０６は、送受信部３０２を通じて特定用途ＮＦＣタグ製作管理装置８から、特定用途ＮＦＣタグ製作・配送完了通知を取得してもよい。更に特定用途NFCタグ提案・注文受付部３０６は、送受信部３０２を通じて、取得した特定用途ＮＦＣタグ製作・配送完了通知をＮＦＣ機能付携帯端末２へ送信してもよい。
【００４５】
プログラム格納部３０８は、特定用途ＮＦＣタグ提案受注装置７の機能を動作させるオペレーティングソフトウエア（OS）やアプリケーションソフトウエアが格納されている。この格納されたソフトウエア（プログラム）に基づいて、制御部３２２が特定用途ＮＦＣタグ提案受注装置７の各機能を制御し動作させる。プログラム格納部３０８はハードディスク、フラッシュメモリなどの読み書き可能なメモリ、読出し専用メモリであるＲＯＭなどで構成されている。
【００４６】
特定用途NFCタグデータベース３１０は、ユーザ３にＮＦＣ機能付携帯端末２を通じて提案可能なＮＦＣタグの全種類、バリエーションに関する情報を格納するデータベースである。データベースに格納された情報は送受信部３０２を通じて外部より変更可能であってよい。データベースには納期や在庫情報なども含んでもよい。データベースに格納された在庫情報は特定用途ＮＦＣタグ製作管理装置８などの外部装置からの在庫情報に応じてデータベースを変更してもよい。
【００４７】
提案条件判定部３１２は、提案条件格納部３１４に格納されたユーザ関連情報に応じた特定用途ＮＦＣタグ提案条件テーブル（図８に一例を示す）に、ユーザ関連情報格納部に格納された各ユーザ３のユーザ関連情報を照合して、提案条件に合致するか判定を行う。合致すると判定された場合には、特定用途NFCタグ提案・注文受付部３０６に対して合致すると判定されたユーザ３のＮＦＣ機能付携帯端末２に対して、合致すると判定された特定用途ＮＦＣタグの提案表示を行わせる。
【００４８】
提案条件判定部３の判定の処理タイミングは、ユーザ関連情報格納部３１８に格納されたユーザ関連情報が更新された都度行ってもよく、所定の時間毎にまとめて行ってもよい。ユーザ関連情報の更新合計数が、直前の判定処理時からカウントして所定の値以上になったタイミングで行ってもよい。もしくは、前述の複数の処理タイミングを含む処理タイミングを複合的に設定してもよく、ユーザ３の数に応じて処理タイミングを変更してもよい。
【００４９】
提案条件格納部３１４は、ユーザ関連情報に応じた特定用途ＮＦＣタグ提案条件テーブル（図８に一例を示す）が格納されている。前述の通り、ユーザ関連情報に応じた特定用途ＮＦＣタグ提案条件テーブルは、ユーザ関連情報に基づき、ユーザ３のＮＦＣ機能付携帯端末２に対して、どんなタイプの特定用途ＮＦＣタグを提案するかを判定するための条件が示されている。特定用途ＮＦＣタグ提案条件テーブルは、変更が可能であってよく、外部装置からの変更要求によりテーブル内容の変更が可能であってよい。変更に応じて提案した特定用途ＮＦＣタグの注文受付率の増減率の変化情報を記録し、その変化情報の増減に応じてテーブル変更の良否を判断して履歴として記録してもよい。提案条件格納部３１４はハードディスク、フラッシュメモリ、ＲＡＭなどの読み書き可能なメモリなどで構成されている。
【００５０】
ユーザ登録部３１６は、特定用途ＮＦＣタグの提案対象となるユーザ３の登録を行う。登録されたユーザ３はユーザ関連情報部３１８に記録される。ユーザ登録の方法としては、たとえば、ユーザ３がNFC機能付携帯端末２にインストールされたNFCリーダアプリを初めて起動した際に登録させるようにしてもよい。ユーザ３の同意を得てNFCリーダアプリ起動時に自動で登録させてもよいし、NFCリーダアプリ起動後に手動で登録可能としてもよい。登録情報には少なくともNFC機能付携帯端末２に対して特定用途ＮＦＣ提案受注装置７からデータ送信が可能な端末識別子を含むものとする。この端末識別子を用いることにより、特定用途ＮＦＣ提案受注装置７からNFC機能付携帯端末２に対してＮＦＣリーダアプリへのプッシュ通知、ＳＭＳ、ＭＭＳなどによる通知が可能となる。端末識別子にNFC機能付携帯端末２の電話番号（ＳＭＳ）や携帯メールアドレス（ＭＭＳ）を用いるのであれば、インターネットに接続する任意の端末からユーザ登録部３１６が提供する登録用Ｗｅｂサイトを通じてユーザ３にユーザ登録させてもよい。
【００５１】
ユーザ関連情報格納部３１８は、ユーザ登録３１６で登録されたユーザ３の端末識別子を少なくも含む登録情報を記録し格納する。そして、ユーザ情報取得部３０４で取得した第一のユーザ属性情報および第二のユーザ属性情報と該当のユーザ３の登録情報に紐づけられて、ユーザ関連情報格納部３１８に各ユーザ３単位で記録され格納されていく。ユーザ関連情報格納部３１８はハードディスク、フラッシュメモリ、ＲＡＭなどの読み書き可能なメモリなどで構成されている。
【００５２】
計時部３２０は、時刻を計測するデジタルクロックである。クロックの精度はネットワーク４経由で外部サーバ（たとえばＮＴＰサーバ）から受信したクロック信号に基づいて時刻同期させることができる。計測した時刻は、特定用途ＮＦＣタグ提案受注装置７内の各機能の動作時刻の履歴や各機能の動作タイミング管理などに利用される。
【００５３】
制御部３２２は、中央演算装置（ＣＰＵ）から構成されており、プログラム格納部３０８に格納されたプログラムに基づき特定用途ＮＦＣタグ提案受注装置７の機能を制御して動作させる。送受信部３０２、ユーザ情報取得部３０４、特定用途NFCタグ提案表示生成部３０６、プログラム格納部３０８、特定用途NFCタグデータベース３１０、提案条件判定部３１２、提案条件格納部３１４、ユーザ登録部３１６、ユーザ関連情報格納部３１８、計時部３２０は制御部２２２により制御されて動作する。
【００５４】
図４は、ユーザ登録の処理の流れの一例を概略的に示す。図４では、ＮＦＣ機能付携帯端末２において、ＮＦＣリーダアプリを初めて起動した際に、ネットワーク４を介して接続する特定用途ＮＦＣタグ提案受注装置７に、ユーザ登録を行う処理の流れを表している。
【００５５】
まずＮＦＣ機能付携帯端末２には、ＮＦＣリーダアプリがプリインストールされているか、ネットワークからダウンロードしてインストールする。ここでＮＦＣリーダアプリとは、ＮＦＣ機能付携帯端末２がＮＦＣタグからデータを読み込みんで、そのデータに基づいてＮＦＣ機能付携帯端末２の動作をさせるアプリをいう。たとえばＮＦＣタグに特定の電話番号に自動発信するデータが書き込まれている場合には、ＮＦＣ機能付携帯端末２をＮＦＣタグにかざすなど近接させてデータを読み込みと、ＮＦＣリーダアプリによって、ＮＦＣ機能付携帯端末２に特定の電話番号への自動発信を行わせることができる。
【００５６】
次にインストールされたＮＦＣリーダアプリを初めて起動した場合にはユーザ登録が求められ、登録条件にユーザ３が同意すると、ステップＳ４０２にてＮＦＣ機能付端末２からネットワーク４を介して特定用途ＮＦＣタグ提案受注装置７に対してユーザ登録要求がなされる。この要求を取得した特定用途ＮＦＣタグ提案受注装置７は、ステップＳ４０４にてユーザ登録入力画面をＮＦＣ機能付携帯端末２に送る。なお入力画面自体はＮＦＣリーダアプリ内に格納されており、これを起動させる要求信号でもよい。
【００５７】
ステップＳ４０６でユーザ登録入力画面がＮＦＣ機能付携帯端末２に表示される。入力画面には、例えばユーザ名、パスワード、年齢、性別、登録アドレスなどの入力ウィンドウが表示される。ユーザ３はこのウィンドウにそれらの情報を入力してユーザ登録要求を行う。
【００５８】
ＮＦＣアプリは、入力した情報に加えて、特定用途ＮＦＣタグ提案受注装置７からＮＦＣアプリへプッシュ配信を行うための端末識別子、特定用途ＮＦＣタグ提案受注装置７からＮＦＣ機能付携帯端末２へＳＭＳやＭＭＳにて通知を行うための、ＮＦＣ機能付携帯端末２の電話番号や携帯メールアドレスをバックグラウンドで付加したユーザ登録情報を生成する。そして、ステップＳ４０８にてユーザ登録情報として特定用途ＮＦＣタグ提案受注装置７へ送信される。
【００５９】
ユーザ登録情報を取得した特定用途ＮＦＣタグ提案受注装置７はステップＳ４１０にてユーザ登録情報を記録、格納してユーザ登録を完了する。完了後、ステップＳ４１２にて特定用途ＮＦＣタグ提案受注装置７はＮＦＣ機能付携帯端末２に対して登録完了通知を送信する。登録完了通知を受信したＮＦＣ機能付携帯端末２はステップ４１４にて登録完了画面表示を行い、ユーザ３に登録が完了したことを知らせる。
【００６０】
図５は、特定用途ＮＦＣタグ提案の処理の流れの一例を概略的に示す。図５では、図４でユーザ登録を完了したユーザ３について、ユーザ３のＮＦＣ機能付携帯端末２におよび、ユーザ３が利用するサービス提供装置６から、それぞれ第一のユーザ属性情報と第二のユーザ属性情報を取得して、ユーザ３に紐付いたユーザ関連情報を収集して、ユーザ関連情報と特定用途NFCタグ提案条件との照合により提案条件に合致した場合には、合致した条件にもとづく特定用途NFCタグ１０をＮＦＣ機能付携帯端末２に対して提案する処理の流れの一例である。
【００６１】
まず、特定用途NFCタグ提案受注装置７は、登録されたユーザ３のリストにもとづき、登録されたユーザ３に対して、更なるユーザ属性情報を取得すべく、ステップＳ５０２にて、NFC機能付携帯端末２に対して第一のユーザ属性情報取得要求を行う。ここで第一の属性取得情報とは、図７に一例として示す、端末位置情報、通信履歴、メール履歴、Webサイト閲覧履歴、ブックマーク情報、アプリ使用履歴などである。これらの情報はNFC機能付携帯端末２に記録されている情報で、例えばＮＦＣ機能付携帯端末２にインストールされたNFCリーダアプリにてバックグラウンドでＮＦＣ機能付端末２内から常時収集を行わせてもよい。
【００６２】
第一のユーザ属性情報取得要求を受信したＮＦＣ機能付携帯端末２は、例えばNFCリーダアプリの指示により収集された第一のユーザ属性情報をステップＳ５０４にて特定用途NFCタグ提案発注装置７へ送信する。これを受信した特定用途NFCタグ提案受注装置７は、第一のユーザ属性情報を、該当する各ユーザ３に紐付いたユーザ関連情報に追加する。
【００６３】
一方で特定用途NFCタグ提案受注装置７は、登録されたユーザ３のリストにもとづき、登録されたユーザ３に対して、更なるユーザ属性情報を取得すべく、ステップＳ５０６にて、各ユーザ３が利用するサービス提供装置６に対して第二のユーザ属性情報取得要求を行う。
【００６４】
ここでサービス提供装置６とは、例えばユーザ３が利用しているＳＮＳ（ソーシャルネットワークサービス）のサーバや携帯電話契約情報サービスサイトなどである。このサーバには登録されたユーザ３に紐付く第二のユーザ属性情報が記録されている。例えば、ＳＮＳサーバであれば、どんな投稿（テキスト書込、写真、第三者の投稿のシェアなど）がいつどこで行われたか、どこのローケーションにいたのか(チェックイン)、何の投稿をいつどこで閲覧したのか、「いいねボタン」をどの投稿に対して押したかなど、ユーザ３の多種多様なユーザ属性情報を得ることができる。なお取得にあったては、ユーザ３の同意を得たうえで、特定用途NFCタグ提案受注装置７からサービス提供装置６へアクセスしてデータ取得が可能になるものとする。
【００６５】
第二のユーザ属性情報取得要求を取得したサービス提供装置６は、提供可否を判断のうえステップ５０８にて第二のユーザ属性情報を特定用途NFCタグ提案受注装置７に送信する。これを受信した特定用途NFCタグ提案受注装置７は、第二のユーザ属性情報を、該当する各ユーザ３に紐付いたユーザ関連情報に追加する。
【００６６】
次に特定用途NFCタグ提案受注装置７は、ステップＳ５１０で、第一のユーザ属性情報と第二のユーザ属性情報が追加された各ユーザ３に紐付いたユーザ関連情報を、特定用途ＮＦＣタグ提案条件テーブル（図８参照）と照合する。そして、ステップＳ５１２で条件に合致する提案すべき特定ＮＦＣタグ１０がある場合には、ステップＳ５１６にてＮＦＣ機能付携帯端末２へ、その特定用途ＮＦＣ提案画面を送信、たとえばＮＦＣリーダライタにたいしてプッシュ通知をする。そして、ステップＳ５１８にて提案された特定用途ＮＦＣタグ提案画面をＮＦＣ機能付携帯端末２に表示する。もし合致しない場合には、ステップＳ５１４にてユーザ関連情報の更新に応じて合致するまで照合を繰り返すこととなる。
【００６７】
図６は、特定用途ＮＦＣタグ注文受付〜製作〜発送の処理の流れの一例を概略的に示す。図６では、図５で特定用途ＮＦＣタグ１０の提案がＮＦＣ機能付携帯端末２で表示された後、ＮＥＣ機能付携帯端末２から、提案された特定用途ＮＦＣタグ１０の注文手続きを特定用途ＮＦＣタグ提案受注装置７に行う。その後の詳細注文内容の確定までの処理をＮＥＣ機能付携帯端末２と特定用途ＮＦＣタグ提案受注装置７間で行う。そして発注確定後、特定用途ＮＦＣタグ提案受注装置７は特定用途ＮＦＣタグ製作管理装置８に指示して、受注した特定用途ＮＦＣタグ製作と配送を行わせる場合のフローである。
【００６８】
まず図５で特定用途ＮＦＣタグ提案を取得したＮＦＣ端末付携帯端末２は、その提案された特定用途ＮＦＣタグ１０を表示する。表示された特定用途ＮＦＣタグ１０を見て、注文をしたいユーザ３は、ＮＦＣ機能付携帯端末２に表示された特定用途ＮＦＣタグ提案画面より操作を行う。この操作により、ステップＳ６０２にて、ＮＦＣ機能付携帯端末２から特定用途ＮＦＣ提案受注装置７に対して特定用途ＮＦＣタグ注文受付要求を送信する。
【００６９】
特定用途ＮＦＣタグ注文受付要求を受信した特定用途ＮＦＣタグ提案受注装置７は、ステップＳ６０４にて、その注文受付要求に応じた特定用途ＮＦＣタグデザイン（形状、色彩、模様など）ほか詳細注文内容問い合わせを送信する。
【００７０】
詳細注文内容の問い合わせを受信したＮＦＣ機能付携帯端末２は、ステップＳ６０６にて詳細注文内容の入力画面表示を行う。ステップ６０８にてユーザ３により詳細注文内容がＮＦ機能付携帯端末２に入力されたら、ユーザ３の操作による決定ボタンの押下により、ステップＳ６１０にて特定用途ＮＦＣタグ詳細注文内容がＮＦＣ機能付携帯端末２から特定用途ＮＦＣタグ提案受注装置に通知される。
なお、ステップ６０４からステップＳ６１０は、詳細注文内容に応じて複数回に分けておこなわれてもよい。たとえば、１回目は注文したい特定用途ＮＦＣタグ１０の形状、２回目は色彩や模様、３回目に送付先や支払方法などに分割して問合せと詳細注文内容通知を繰り返すなどである。
【００７１】
詳細注文内容（少なくとも注文する特定用途ＮＦＣタグに係る用途種別・形状・色彩・模様などの仕様）が確定したあと、製作・配送までの納期については特定用途ＮＦＣタグ提案受注装置では把握ができたいため、ステップＳ６１２にて、特定用途ＮＦＣタグ提案受注装置７から特定用途ＮＦＣタグ製作管理装置８に対して詳細注文内容を送信して納期を確認する。詳細注文内容に係る納期確認を受信した特定用途ＮＦＣタグ製作管理装置は在庫量、製作日数情報、バックオーダ量から納期を確定し、ステップＳ６１４にて特定用途製作管理装置８から特定用途ＮＦＣタグ提案受注装置７に対して、納期を通知する。
【００７２】
発注に必要な詳細注文内容、納期、価格などの情報が全てそろったら、ステップ６１６にて特定用途ＮＦＣタグ提案受注装置７からＮＦＣ機能付携帯端末２に対して通知を行う。この発注に必要な情報はＮＦＣ機能付携帯端末２の画面に表示され、ユーザ３は内容確認後、ＮＦＣ機能付携帯端末２を操作して発注を指示する。この操作により、ステップＳ６１８にて発注依頼が、ＮＦＣ機能付携帯端末２から特定用途ＮＦＣタグ提案受注装置７に送信される。これを受信した特定用途ＮＦＣタグ提案受注装置７は、ステップＳ６２０にて受注確認通知をＮＦＣ機能付携帯端末２に送信し、ＮＦＣ機能付携帯端末２はこれを受信して、ステップＳ６２４にて特定用途ＮＦＣタグ注文は完了する。
【００７３】
特定用途ＮＦＣタグ提案受注装置７は受注確認通知の送信後、ステップＳ６２２にて受注した特定用途ＮＦＣタグ製作・配送指示を特定用途ＮＦＣタグ製作管理装置８へ送信する。これを受信した特定用途ＮＦＣタグ製作管理装置８は、ステップ６２６にて注文を受けた特定用途ＮＦＣタグの製作及び配送処理の管理を行う。そして配送完了したら、ステップＳ６３０で、特定用途ＮＦＣタグ製作管理装置８から特定用途ＮＦＣタグ提案受注装置７に対して特定用途ＮＦＣタグ製作・配送通知を行う。これを受信した特定用途ＮＦＣタグ提案受注装置７は、ステップＳ６２８にて特定用途ＮＦＣタグ製作・発送通知をＮＦＣ機能付携帯端末２に対して行う。
【００７４】
図７は、ユーザ関連情報の取得元および取得情報テーブルの一例を概略的に示す。図７は３つあるユーザ関連情報の取得元、すなわちＮＦＣ機能付携帯端末２、サービス提供装置６、特定用途ＮＦＣタグ提案受注装置７から取得できる情報(例)を星取表で表しているものである。ＮＦＣ機能付携帯端末２から取得できる情報を第一のユーザ属性情報と呼び、サービス提供装置６から取得できる情報を第二のユーザ属性情報と呼ぶ。また、特定用途ＮＦＣタグ提案受注装置７から取得できる情報は、主にユーザ登録時に取得できる情報である。
【００７５】
情報例としては図７に記載のある通り、端末識別子（アプリへのプッシュ通知用識別子、ＳＭＳ用の携帯電話番号、ＭＭＳ用の携帯メールアドレスなど）、ユーザ情報（ユーザ名・パスワード、年齢・性別など）、ユーザ連絡先情報（住所、電話番号、メールアドレスなど）、端末位置情報、通話履歴・メール履歴、WEBサイト閲覧履歴、ブックマーク情報、アプリ使用履歴（アプリ名・利用時間・頻度など）、動画像格納情報、壁紙設定情報など、文字入力情報、GPS/Wi-Fi/Bluetooth（登録商標）/マナーモード/バイブ/ボリューム/マイク/NFC/FeliCa（登録商標）/キー/電源等の各種設定の使用履歴、SNS投稿テキスト、SNS投稿画像などである。これはあくまで例示であり、これに限定されない。
【００７６】
星取表では、取得元となる装置が取得できる情報の場合は丸印とし、取得ができない情報はＮ／Ａと表記している。ただしあくまで例示であり、確定したものではない。取得した情報は、ユーザ３毎に紐付けられてユーザ関連情報として、特定用途ＮＦＣタグ提案受注装置内に集約されて格納される。新たな情報を取得した際には都度更新されていく。
【００７７】
図８は、ユーザ関連情報に応じた特定用途ＮＦＣタグ提案条件テーブルの一例を概略的に示す。図８の再上段の行にはユーザ関連情報から抽出したデータの特徴量が記載されており、一番左側の列には提案すべき特定用途ＮＦＣタグ１０の用途種別が記載されており、最上段の行の特徴を満たした場合に、どの用途種別の特定用途ＮＦＣタグ１０を提案すべきかが示されている提案条件テーブルである。例えば、このテーブルによれば、あるユーザ３のユーザ関連情報から抽出したデータで、特定ユーザとの通話回数が週に3回以上の場合には、本テーブルで丸印のついている特定ユーザの電話番号が書き込まれた特定用途ＮＦＣタグ１０を、そのユーザ３に提案することなる。
【００７８】
ユーザ関連情報から抽出したデータの特徴量としては、特定ユーザとの通話回数が週に３回以上、特定サイトへのアクセスが週に５回以上、特定アプリの起動回数が週に５回以上、特定のテキストの入力回数が週に１５回以上、投稿回数が週に２０回以上、特定のON/OFF設定の使用回数が週に７以上、年齢が６０歳以上または１５歳以下などである。この特徴を満たした時、本テーブルに付いた丸印に基づいて指定される用途種別の特定用途ＮＦＣタグ１０を提案する。なお、これは例示であって、特定用途ＮＦＣタグ１０を提案するトリガーとなるユーザ関連情報から抽出したデータの特徴はこれだけに限られない。
【００７９】
特定用途ＮＦＣタグ１０の用途種別としては、特定ユーザの電話番号が書き込まれたタグ、特定サイトのURLが書き込まれたタグ、特定アプリを起動させるタグ、特定テキストが書き込まれたタグ、投稿画面が表示されるタグ、ON/OFF設定が書き込まれたタグ
などである。なお、これは例示であって、特定用途ＮＦＣタグ１０の用途種別はこれに限られない。
【００８０】
この特定用途ＮＦＣタグ提案条件テーブルは特定用途ＮＦＣタグ提案受注装置７に格納されており、同じく特定用途ＮＦＣタグ提案受注装置７に格納されたユーザ３毎のユーザ関連情報から抽出された特徴がこの特徴量に達した場合には、このテーブルに基づいて該当する用途種別の特定用途ＮＦＣタグを、該当するユーザ３のＮＦＣ機能付携帯端末２に対して提案する。
【００８１】
図９は、ユーザ登録画面の一例を概略的に示す。NFC機能付携帯端末２にインストールされたNFCリーダアプリを初めて開くと特定用途ＮＦＣタグ提案受注装置７と通信を行い、図９のユーザ登録画面がNFC機能付携帯端末２の携帯端末表示画面２０に表示される。登録案内文９０２には、ユーザ登録を促す案内文、例えば「ＮＦＣタグにユーザ登録する方は、以下に入力して登録ボタンを押してください」が表示され、その下には、ユーザ名入力欄９０４、パスワード入力欄９０６、年齢入力欄９０８、性別入力欄９１０、登録メールアドレス入力欄９１２がある。ユーザ３はユーザ登録のために、これら入力欄にユーザ情報を入力する。その後、最下段にある登録ボタン９１４を押すことにより、入力した情報が、特定用途ＮＦＣタグ提案受注装置７へ送信され登録手続きが行われる。
【００８２】
図１０は、特定用途ＮＦＣタグ提案画面の一例を概略的に示す。特定用途ＮＦＣタグ提案受注装置７から特定用途NFCタグ１０の提案を受けると、NFC機能付携帯端末２の携帯端末表示画面２０に図１０の表示がされる。上段から、ＮＦＣタグ提案導入文１００２「Ａさんへの電話が多いようですね。」  次に、ＮＦＣタグ提案文１００４「携帯を“かざす”だけで、Ａさんへすぐ電話できる便利な「ＮＦＣタグ」はいかがですか？」と表示され、最後にＮＦＣタグ形状紹介文１００６「キーホルダ型・シール型などの形状、柄などデザインもお好みに合わせてお選びできます。」と表示される。この提案を見たユーザ３が興味を持った場合には、「ＮＦＣタグを見る」と表記された注文受付開始ボタン１００８を押せばよい。興味がない場合は、ユーザ３は「必要ありません」と表記された提案キャンセルボタン１０１０を押すこととなる。  
【００８３】
図１１は、特定用途ＮＦＣタグ注文受付画面の一例を概略的に示す。図１０で注文受付開始ボタン１００８を押すと、これを受付けた特定用途ＮＦＣタグ提案受注装置７はNFC機能付携帯端末２の携帯端末表示画面２０に図１１を表示させる。ユーザ３は提案ＮＦＣタグ説明文１１０２に示された「〜さんへすぐに電話が発信できるNFCタグ（電話番号：XXX-XXXX-XXXX）キーホルダ、シールどちらのタイプがお好みですか」を見て、どのような特定用途のＮＦＣタグかを知り、注文を続けたい場合には、ＮＦＣタグ形状タイプ選択ボタン１１０４にてキーホルダ型か、シール型のどちらかを選択する。そして次に柄を決めるべく、ＮＦＣタグ柄選択開始ボタン１１０６を押す。もし提案されたとは異なる特定用途ＮＦＣタグを調べたい場合には、ＮＦＣタグ一覧呼出しボタン１１０８を押す。また、注文処理を取りやめたい場合には注文受付キャンセルボタン１１１０を押す。
【符号の説明】
【００８４】
１  特定用途ＮＦＣタグ提案受注システム
２  ＮＦＣ機能付携帯端末
３  ユーザ
４  ネットワーク
５  無線基地局
６  サービス提供装置
７  特定用途ＮＦＣタグ提案受注装置
８  特定用途ＮＦＣタグ製作管理装置
９  配送手段
１０  特定用途ＮＦＣタグ
２０  携帯端末表示画面
２０２  携帯・無線ＬＡＮ通信部
２０４  ＮＦＣ通信部
２０６  測位部
２０８  各種センサー部
２１０  カメラ部
２１２  表示部
２１４  ユーザ操作部
２１６  プログラム可能部
２１８  記録部
２２０  計時部
２２２  制御部
３０２  送受信部
３０４  ユーザ情報取得部
３０６  ＮＦＣタグ提案表示生成部
３０８  プログラム格納部
３１０  ＮＦＣタグデータベース
３１２  提案条件判定部
３１４  提案条件格納部
３１６  ユーザ登録部
３１８  ユーザ関連情報格納部
３２０  計時部
９０２  登録案内文
９０４  ユーザ名入力欄
９０６  パスワード入力欄
９０８  年齢入力欄
９１０  性別入力欄
９１２  登録メールアドレス入力欄
９１４  登録ボタン
１００２  ＮＦＣタグ提案導入文
１００４  ＮＦＣタグ提案文
１００６  ＮＦＣタグ形状紹介文
１００８  注文受付開始ボタン
１０１０  提案キャンセルボタン
１１０２  提案ＮＦＣタグ説明文
１１０４  ＮＦＣタグ形状タイプ選択ボタン
１１０６  ＮＦＣタグ柄選択開始ボタン
１１０８  ＮＦＣタグ一覧呼出しボタン
１１１０  注文受付キャンセルボタン
【図１】
2017068587.tif 000003
【図２】
2017068587.tif 000004
【図３】
2017068587.tif 000005
【図４】
2017068587.tif 000006
【図５】
2017068587.tif 000007
【図６】
2017068587.tif 000008
【図７】
2017068587.tif 000009
【図８】
2017068587.tif 000010
【図９】
2017068587.tif 000011
【図１０】
2017068587.tif 000012
【図１１】
2017068587.tif 000013